(57)【要約】【課題】片手持ちの状態を維持しつつ選択不可能領域にあるアイコンに対して、一の操作イベントで選択することのできる操作性の高いユーザインタフェースを備えたコンピュータプログラムを提供すること。【解決手段】本発明によるコンピュータプログラムは、タッチパネルの特定位置にターゲット標識を固定的に表示する手段、スライド操作がされた場合に、当該スライド操作に応じて、表示対象をその一部が表示領域外に位置するように移動させる手段、スライド操作が終了した際に、表示対象に含まれるオブジェクトが特定位置に位置していた場合、当該オブジェクトに関連付けられた機能を呼び出す手段、として前記携帯端末を機能させること。【選択図】図４
2016209142.tif 000002
【特許請求の範囲】
【請求項１】
タッチパネルの表示領域に表示対象を表示する手段、
前記タッチパネルに対するスライド操作を検知する手段、
としてタッチパネルを備えた携帯端末を機能させる、画面表示を制御するコンピュータプログラムであって、
前記コンピュータプログラムは、更に、
前記タッチパネルの特定位置にターゲット標識を固定的に表示する手段、
前記スライド操作がされた場合に、当該スライド操作に応じて、前記表示対象をその一部が前記表示領域外に位置するように移動させる手段、
前記スライド操作が終了した際に、前記表示対象に含まれるオブジェクトが前記特定位置に位置していた場合、当該オブジェクトに関連付けられた機能を呼び出す手段、
として前記携帯端末を機能させる
コンピュータプログラム。
【発明の詳細な説明】
【技術分野】
【０００１】
本発明は、タッチパネルに対して指等を用いたジェスチャーを利用して画面表示を制御するコンピュータプログラムに関する。
【背景技術】
【０００２】
従来、タッチパネルを設けたディスプレイに選択可能な複数の項目を含むメニューディスプレイを表示する技術があった。この場合、タッチパネルに指等を接触することにより、接触されたメニューの項目に対応する機能が選択される。例えば特許文献１では、タッチパネルの設けられたディスプレイに表示されたメニューの複数の項目のうち１つを選択すると、該選択された項目に対応する処理が実行される。
【先行技術文献】
【特許文献】
【０００３】
【特許文献１】特開２００６−３１８３０３号公報
【発明の概要】
【発明が解決しようとする課題】
【０００４】
ところで、上述したタッチパネルを備えたディスプレイにおいては、図１のように端末を片手のみで保持した際（以下、「片手持ちの状態」と呼ぶ）に、ユーザの指が届く選択可能領域（図３の領域Ｓ参照）とユーザの指が届かない選択不可能領域が生じる。例えば、ユーザが片手持ちの状態を維持したまま当該選択不可能領域にあるアイコン（例えば、図３のアイコンＩＣ参照）を無理矢理に選択しようとすると、端末が手から離れて落下する恐れがある。一方で、端末を保持していない方の手の指で選択不可能領域にあるアイコンを選択する方法もあり得るが、片手で操作できるという携帯端末の特長を生かすことができない。
【０００５】
本発明は上記課題を解決するためになされたものであって、片手持ちの状態を維持しつつ選択不可能領域にあるアイコンに対して、一の操作イベントで選択することのできる操作性の高いユーザインタフェースを備えたコンピュータプログラムを提供することを目的とする。
【課題を解決するための手段】
【０００６】
本発明によれば、第１のゲームプログラムとして、
タッチパネルの表示領域に表示対象を表示する手段、
前記タッチパネルに対するスライド操作を検知する手段、
としてタッチパネルを備えた携帯端末を機能させる、画面表示を制御するコンピュータプログラムであって、
前記コンピュータプログラムは、更に、
前記タッチパネルの特定位置にターゲット標識を固定的に表示する手段、
前記スライド操作がされた場合に、当該スライド操作に応じて、前記表示対象をその一部が前記表示領域外に位置するように前記表示領域上において移動させる手段、
前記スライド操作が終了した際に、前記表示対象に含まれるオブジェクトが前記特定位置に位置していた場合、当該オブジェクトに関連付けられた機能を呼び出すステップ、
として前記携帯端末を機能させる
コンピュータプログラムが得られる。
【発明の効果】
【０００７】
本発明によれば、片手持ちの状態を維持しつつ選択不可能領域にあるアイコンに対して、一の操作イベントで選択することができる。
【図面の簡単な説明】
【０００８】
【図１】本発明の実施の形態によるコンピュータプログラムが実行される携帯端末の外観図である。図においては、ユーザによる片手持ち状態が示されている。
【図２】図１の携帯端末の構成を模式的に示すブロック図である。
【図３】図１の携帯端末のタッチパネル上に表示されるアイコンを示す図である。
【図４】図３のタッチパネル上で、スライド操作を行った際の表示画面例を模式的に示す図である。
【発明を実施するための形態】
【０００９】
本発明の実施の形態よる画面表示を制御するコンピュータプログラムは、図１に示されるようにタッチパネルを備え且つ片手で保持可能な端末（スマートフォン等）において好適に実行されるものである。
である。
【００１０】
図２に示されるように、本実施の形態における端末は、少なくとも１つの処理部１００、少なくとも１つのメモリ１２０、少なくとも１つのディスプレイ１４０、および該ディスプレイ１４０に対応して設けられたタッチパネル１６０を備えることができる。ユーザインタフェース装置１は、例えば、公知のスマートフォン、タッチパネルを備えた携帯端末、ＰＤＡ，ゲームコントローラによって実現することができる。
【００１１】
処理部１００は、タッチ入力検出部１０２と、タッチ位置検出部１０４と、距離算出・設定部１０６と、項目切換判定部１０８と、画像生成部１１０と、機能実行部１１２を機能的構造として有する。処理部１００は、本発明の実施形態に係るユーザインタフェース装置の動作に必要な様々な演算処理を実行する。例えば、処理部１００は、各種プログラムの実行、各機能部への命令の指示、アプリケーションの実行などの各種処理を行うように構成される。各種プログラムは、例えばタッチ入力検出部１０２、タッチ位置検出部１０４、距離算出・設定部１０６、画像生成部１１０、および機能実行部１１２を機能させるためのものである。
【００１２】
メモリ１２０は、本発明の実施形態に係るユーザインタフェース装置の動作に必要な各種プログラム、その他のアプリケーションを格納することができる。
【００１３】
ディスプレイ１４０は、例えば、液晶ディスプレイ、有機ＥＬディスプレイ等の表示装置からなり、処理部１００により生成された進行中のアプリケーション画像、ユーザによる操作画面を表示することができる。
【００１４】
タッチパネル１６０は、ディスプレイの表示領域を覆うように配置され、該表示領域にタッチ検出領域を有しており、ユーザの指（又はスタイラスペンなど）によるタッチ検出領域に対する物体の接触に応じた信号を処理部１００へ出力する。
【００１５】
タッチ入力検出部１０２は、タッチパネル１６０から出力された、ユーザの指などによる操作に基づく信号に応じて、所定のサンプリング期間でタッチパネル１６０に対するユーザのタッチ入力を検出する。なお、タッチ入力検出部１０２は、ユーザによるタッチ入力だけではなく、サンプリング期間に基づいてタッチ入力が行われている時間をも検出することができる。
【００１６】
図３に示されるように、初期状態においては、ディスプレイの表示領域Ｖ内に表示対象として表示コンテンツＣが表示される。表示コンテンツＣは、背景画像ＢＧ及び複数のアイコンＩＣを含むものであり、スマートフォン端末の所謂ホーム画面である。図３から明らかであるように、片手持ちの状態においては、ユーザは親指の先端を中心として略円形状の領域Ｓが無理なく選択できる範囲となる。従って、例えば、表示領域Ｖの左上に位置するアイコンＩＣ０をタッチ操作によって選択しようとした場合、画面を大きく傾けた上で親指を伸ばして選択するか、左手でアイコンＩＣ０を選択しなければならない。画面を大きく傾けた場合には、端末の保持状態が不安定になり端末が手から落下する恐れがある。また、左手を用いる場合には、携帯端末の有する片手で操作可能という利益を享受できない。
【００１７】
本実施の形態においては、図４に示されるように、表示領域Ｖ上の中心位置に十字形状のターゲット標識Ｔが表示される。この状態でタッチパネル上でスライド操作を行うと、表示コンテンツＣが移動され、それに伴って表示コンテンツＣの一部が表示領域Ｖの外に移動される。なお、図において、表示コンテンツＣのうち上記スライド操作による移動後においても表示される部分を表示部分ＶＣとして図示し、表示コンテンツＣのうち移動後において非表示となる部分（即ち、表示領域Ｖの外に移動された部分）を非表示部分ＵＣとして図示している。図に示される状態でユーザが指を離すと（即ちずらし操作を終了すると）、ターゲット標識Ｔと重なって（表示領域Ｖ上の中心位置に）位置しているアイコンＩＣ０が選択され、当該アイコンＩＣ０に割当てられ機能が呼び出され実行される。
【００１８】
本実施の形態においては、スライド操作の方向及び距離に応じて表示コンテンツＣの移動量が決定される。詳しくは、スライド操作がされた方向と同じ方向に、スライド操作がされた量と同じ量だけ表示コンテンツＣを移動させる。しかしながら、例えば、表示コンテンツＣの移動距離を実際のスライド操作の距離よりも大きくしてもよい。これにより、表示領域の端部に位置するアイコンを指を少し移動させただけで選択することができる。
【００１９】
上述した実施の形態においては、ターゲット標識Ｔを表示領域Ｖの中心位置に表示することとしていたが、ターゲット標識Ｔの位置をユーザにより任意の位置に設定できるようにしてもよい。
【００２０】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００２１】
１００        処理部
１０２        タッチ入力検出部
１０４        タッチ位置検出部
１０６        距離算出・設定部
１１０        画像生成部
１１２        機能実行部
１２０        メモリ
１４０        ディスプレイ
１６０        タッチパネル
【図１】
2016209142.tif 000003
【図２】
2016209142.tif 000004
【図３】
2016209142.tif 000005
【図４】
2016209142.tif 000006